(57)【要約】      （修正有）【課題】レンジフード内に簡単に取り付け可能とするとともに、火災発生時において消火器本体内の消火剤およびガス圧の低下を感知して電気的信号に変換し、この信号をもとに各種の対応ができるようにする。【解決手段】レンジフード内に水平に取り付け可能な消火器本体と、該消火器本体の管胴部に直接に、消火器本体内部に連通させて取り付けたた１又は複数個の消火薬剤放出ノズルと、該消火薬剤放出ノズルの開口部に、ハンダ等の接着手段を介して取り付けられた集熱板と、上記消火器本体の長さ方向端部に取り付けられた電気信号発生器とからなり、電気信号発生器は電気信号発生スイッチと該電気信号発生スイッチを起動させる圧力感知部とから構成され、しかも少なくとも圧力感知部が前記消火器本体内部に気密に突出させてなる。【選択図】図１
2005118109.tif 000002
【特許請求の範囲】
【請求項１】
レンジフード内に水平に取り付け可能で、しかも内部に消火薬剤を気密に充填可能とした筒状の加圧もしくは蓄圧式の消火器本体と、該消火器本体の管胴部に直接に取り付けられ、しかも消火器本体内部に連通させた１又は複数個の消火薬剤放出ノズルと、該消火薬剤放出ノズルの開口部に、該開口部を閉塞すべく、しかも一定の炎熱温度で溶融するハンダ等の接着手段を介して取り付けられた集熱板と、上記消火器本体の長さ方向端部に取り付けられた電気信号発生器とからなり、電気信号発生器は電気信号発生スイッチと該電気信号発生スイッチを起動させる圧力感知部とから構成され、しかも少なくとも圧力感知部が前記消火器本体内部に気密に突出させてなることを特徴としたレンジフード内取付用消火器。
【請求項２】
電気信号発生器の電気信号発生スイッチを起動させる圧力感知部は、付勢手段により常時消火器本体内に向けて突出させる方向に付勢させ、消火器本体内に充填した消火薬剤圧し出し用の加圧もしくは蓄圧用のガス圧が高い場合に収縮して電気信号発生スイッチをＯＦＦとするとともに、ガス圧が減少した場合に消火器本体内に突出して電気信号発生スイッチをＯＮにするための作動ピンを有するものであるところの請求項１に記載のレンジフード内取付用消火器。
【請求項３】
電気信号発生器の電気信号発生スイッチは、別途設けた信号発信器に接続されているものであるところの請求項１又は請求項２に記載のレンジフード内取付用消火器。
【請求項４】
消火器本体の少なくとも一方の端部には、レンジフードの幅内径如何により長さの異なる円筒状のカラーを取り付けるようにした請求項１に記載のレンジフード内取付用消火器。
【請求項５】
消火器本体の長さ方向両端部における少なくとも一方には、消火器本体の長さ方向に伸縮調整自在のアジャスター装置が取り付けられているところの請求項１に記載のレンジフード内取付用消火器。
【請求項６】
消火薬剤放出ノズルには、消火薬剤噴射通路内であって集熱板との間に消火薬剤封止ピンを遊嵌させてなるところの請求項１〜５の何れか１に記載のレンジフード内取付用消火器。
【請求項７】
消火器本体の長さ方向左右いずれかの端部にはガス充填口バルブが取り付けられているところの請求項１に記載のレンジフード内取付用消火器。
【請求項８】
消火器本体に取り付けた電気信号発生器、消火薬剤充填口、およびガス充填口バルブは、消火器本体管胴部の長さ方向中心軸線上に位置して取り付けるようにした請求項１〜７の何れか１に記載のレンジフード内取付用消火器。
【発明の詳細な説明】
【技術分野】
【０００１】
本発明は、台所のガスや電気等の加熱手段を用いるレンジまわりでの火災発生に対応して直ちに自動的に消火作業をおこなわせるべく、加熱手段上部のレンジフード内に簡単かつコンパクトに取り付けるようにした消火器の改良に関し、とくに消火に際しての周囲に対する注意喚起のため、あるいはガスや電気など加熱手段のエネルギー供給源を遮断するための電気的信号を発生させる等、消火活動時における機能向上をはかることを目的とする。
【背景技術】
【０００２】
厨房のレンジまわりで発生した火災の消火対策としては、例えば特開平８−１０７９４２号公報に開示された台所の油火災用消火装置や、あるいは特開平１０−１２７８０３号公報に開示されたレンジフードなどが知られている。  前者は、ケーシング２内に、水貯蔵ボンベと、該水貯蔵ボンベの加圧水をフォグとして放出可能な水微噴霧ノズルとを備え、さらに分岐管７を介し、該ケーシング２の外部前方に突出させて水微噴霧ノズル４を設けた消火装置本体１をフードファン１３の真下に位置する壁面１４に取り付けるようにしたものである。
【０００３】
また後者は、レンジフード本体内の、上面板１ａで仕切られた上方空間２内に、取付台７、固定金具１３、および受け部１５、締め付けバンド等によりフロントパネル６の裏面に消火装置９を取り付けるとともに、該消火装置９より延長された固定配管１１をもって、先端に有する火災検知ヘッドおよび噴射ノズル１２を上面板１ａの下方に向けて突出させたものである。
【０００４】
【特許文献１】特開平８−１０７９４２号公報
【特許文献２】特開平１０−１２７８０３号公報
【発明の開示】
【発明が解決しようとする課題】
【０００５】
しかしながら、上記した引用文献１の消火装置にあっては、消火装置本体の取り付けが、フードの直下に位置して構造物壁面に固定ビス等を用いて安全に取り付ける必要があり、しかも該消火装置本体より分岐管を介してノズルをレンジ上に向けて配設する必要があり、大掛かりな工事を伴うばかりでなく、消火装置本体を格納するケーシングをレンジフードの外側に別付けで取り付けることになり、空間占有体積が増大してキッチン収納が狭くなるという難点がある。。
【０００６】
また引用文献２の消火装置にあっても、消火装置本体をレンジフード内における上面板により仕切られた上部空間内に、しかもフロントパネルの裏側に取り付けるとともに、噴射ノズルを上面板の下側に突出させ、かつその噴射方向をレンジ上に向けて位置合わせして取り付ける必要があり、また分岐管の穴あけ工事など専門的な工事を必要とし、しかも現地工事で配管する必要がある。
【０００７】
また長期間にわたる設置の場合には地震などにより経時的に、次第に接続各部に緩みや亀裂を生じやすく、耐久性維持やメンテナンス性の面においては改善が望まれていたために、気密保持検査が目視によるほかなく、したがって長期にわたる信頼性の面でも問題がある。
【課題を解決するための手段】
【０００８】
そこで本発明は、上記した従来技術における問題点を解決し、加熱手段上部のレンジフード内に簡単かつコンパクトに取り付けることができるのみならず、火災感知に伴う消火に際し、消火剤の噴出減少による圧力低下を感じて電気信号を発生させ、この電気信号をもとに警報音を発して周囲に対する注意喚起を促し、あるいはガスや電気など加熱手段のエネルギー供給源を遮断することができるようにしたものである。
【０００９】
具体的には、請求項１の発明は、レンジフード内に水平に取り付け可能で、しかも内部に消火薬剤を気密に充填可能とした筒状の加圧もしくは蓄圧式の消火器本体と、該消火器本体の管胴部に直接に取り付けられ、しかも消火器本体内部に連通させた１又は複数個の消火薬剤放出ノズルと、該消火薬剤放出ノズルの開口部に、該開口部を閉塞すべく、しかも一定の炎熱温度で溶融するハンダ等の接着手段を介して取り付けられた集熱板と、上記消火器本体の長さ方向端部に取り付けられた電気信号発生器とからなり、電気信号発生器は電気信号発生スイッチと該電気信号発生スイッチを起動させる圧力感知部とから構成され、しかも少なくとも圧力感知部が前記消火器本体内部に気密に突出させてなることを特徴としたレンジフード内取付用消火器に関する。
【００１０】
また請求項２の発明は、電気信号発生器の電気信号発生スイッチを起動させる圧力感知部は、付勢手段により常時消火器本体の反対側端部方向に向けて付勢させ、消火器本体内に充填した消火薬剤圧し出し用の加圧もしくは蓄圧用のガス圧が高い場合に収縮して電気信号発生スイッチをＯＦＦとするとともに、ガス圧が減少した場合に消火器本体の反対側端部方向に向けて突出して電気信号発生スイッチをＯＮにするための作動ピンを有するものであるところの請求項１に記載のレンジフード内取付用消火器に関する。
【００１１】
さらに請求項３の発明は、電気信号発生器の電気信号発生スイッチは、別途設けた信号発信器に接続されているものであるところの請求項１又は請求項２に記載のレンジフード内取付用消火器に関する。  さらに請求項４の発明は、消火器本体の少なくとも一方の端部には、レンジフードの幅内径如何により長さの異なる円筒状のカラーを取り付け使用できるようにした請求項１に記載のレンジフード内取付用消火器に関する。
【００１２】
さらに請求項５の発明は、消火器本体の長さ方向両端部における少なくとも一方には、消火器本体の長さ方向に伸縮調整自在のアジャスター装置が取り付けられているところの請求項１に記載のレンジフード内取付用消火器に関する。  さらに請求項６の発明は、消火薬剤放出ノズルには、消火薬剤噴射通路内であって集熱板との間に消火薬剤封止ピンを遊嵌させてなるところの請求項１〜５の何れか１に記載のレンジフード内取付用消火器に関する。
【００１３】
さらに請求項７の発明は、消火器本体の長さ方向左右いずれかの端部にはガス充填口バルブが取り付けられているところの請求項１に記載のレンジフード内取付用消火器に関する。  さらに請求項８の発明は、消火器本体に取り付けた電気信号発生器、消火薬剤充填口、およびガス充填口バルブは、消火器本体管胴部の長さ方向における中心軸線上に位置して取り付けるようにした請求項１〜７の何れか１に記載のレンジフード内取付用消火器に関する。
【００１４】
上記した構成において、レンジフードの幅方向内径如何により筒状の消火器本体両端部における、少なくとも一方の端部の円筒状のカラーを、長さの適当なものに交換してレンジフード内に取り付け、あるいは消火器本体の少なくとも一端に有するアジャスターをレンジフード内幅径に合わせて長さ方向に伸縮調整しつつ消火薬剤放出ノズルを下方に向けた状態で消火器本体をレンジフード内に水平に取り付ける。
【００１５】
レンジ付近で火災が発生すると、その火炎もしくは炎熱が集熱板に達してハンダ等の接着手段を溶融させ、集熱板を落下させて閉塞していた消火薬剤放出ノズルの開口部を開口させる。  これにより常時消火器本体内から押圧されている消火薬剤がレンジ上に噴射されて自動的に消火活動を実施する。  なおこの場合に、消火薬剤放出ノズルには、消火薬剤噴射通路内であって集熱板との間に消火薬剤封止ピンを遊嵌させてなる場合においては、消火薬剤の放出時に遊嵌させてある消火薬剤封止ピンも消火薬剤の噴射に伴って外部に放出される。
【００１６】
さらに、消火器本体内の消火薬剤が放出されると、電気信号発生器の圧力感知部がガス圧の低下を感知して電気信号発生スイッチをＯＮに切替させる。  この電気信号発生スイッチをＯＮにすることにより、電気的に結合された警報器を鳴動させ、あるいは赤色点滅ランプを点灯させて異常を知らせ、あるいはガスや電気など加熱手段のエネルギー供給源をソレノイド遮断器を介在させるなどの手法により電気的に遮断させることによって消火活動時における機能向上をはかる。
【発明の効果】
【００１７】
本発明は上記した通り、レンジフード内に水平に取り付け可能で、しかも内部に消火薬剤を気密に充填可能とした筒状の加圧もしくは蓄圧式の消火器本体と、該消火器本体の管胴部に直接に取り付けられ、しかも消火器本体内部に連通させた１又は複数個の消火薬剤放出ノズルと、該消火薬剤放出ノズルの開口部に、該開口部を閉塞すべく、しかも一定の炎熱温度で溶融するハンダ等の接着手段を介して取り付けられた集熱板とからなるものであり、また消火器本体に取り付けた電気信号発生器、消火薬剤充填口、およびガス充填口バルブは、消火器本体管胴部の長さ方向中心軸線上に位置して取り付けるようにしたために、消火器の全体がコンパクトでレンジフード内に取り付けることができ、空間占有体積が著しく減少する。
【００１８】
また取り付けに専門的な工事が必要ないために、低コストで、しかも従来のような消火装置本体と消火薬剤放出器との間を連絡する導管なども必要がないために、耐久性維持やメンテナンス性の面においてもきわめて信頼性が高い。
【００１９】
さらに上記消火器本体の長さ方向端部には、電気信号発生スイッチと該電気信号発生スイッチを起動させる圧力感知部とから構成され、しかも少なくとも圧力感知部が前記消火器本体内部に気密に突出させてなる電気信号発生器が取り付けられているために、消火器本体内の消火薬剤が放出されると、電気信号発生器の圧力感知部がガス圧の低下を感知して電気信号発生スイッチをＯＮに切替させることができ、この電気信号発生スイッチをＯＮにすることにより得られる電気信号をもとに、警報器の鳴動、赤色点滅ランプ点灯、あるいはガスや電気など加熱手段のエネルギー供給源の遮断をするなど、消火活動時における機能向上をはかることができる。
【００２０】
また消火薬剤放出ノズルには、消火薬剤噴射通路内であって集熱板との間に消火薬剤封止ピンを遊嵌させてなるものであるために、集熱板の集熱効率を高め、またとくに通常時は消火薬剤封止ピンの介在により集熱板に消火薬剤が直接触れることが無く、腐蝕を無くして耐久性を著しく向上させることができる。
【発明を実施するための最良の形態】
【００２１】
以下において本発明の具体的な内容を図１〜２の実施例をもとに説明すると、１は消火器本体、７は火器本体の管胴部に直接に取り付けられ、しかも消火器本体１の内部に連通させた消火薬剤放出ノズル、２０は電気信号発生器をあらわしている。
【００２２】
消火器本体１はレンジフード内に水平に取り付け可能であるようにするために、レンジフード内の左右の内壁Ｆ・Ｆ間の距離に略等しいか、あるいはこれよりも幾分短かめの長さ（たとえば５５０〜５８０ｍｍ程度）の管胴部２を有する金属製筒状体であって、片側の端部開口部には中央に電気信号発生器２０を取り付けるための取り付け穴４を有する蓋３が溶接３ａにより一体に取り付ける。
【００２３】
また反対側の端部開口部には厚肉の円筒状をしたヘッドＨが溶接Ｈａにより一体に構成され、さらに該ヘッドＨの開口部内周縁部に螺条部５ａが形成され、この螺条部５ａに口蓋５が螺合されおり、これによって管胴部２内に消火薬剤１７および該消火薬剤１７を加圧して放出するための窒素などのガスが蓄圧され、あるいは小型のガスボンベが気密に充填可能に構成されている。
【００２４】
消火薬剤放出ノズル７は、消火器本体１を構成する管胴部２の長さ方向（水平方向）の適当な位置に１箇所または複数箇所に溶接７ａによって取り付けたところの、中央部に消火薬剤噴射通路８を有する消火薬剤放出ノズルをあらわし、さらに該消火薬剤放出ノズル７の先端部外周面には螺条部１０が形成され、この羅条部１０にＯリング１２を介して集熱板取り付け金具９が、その内周面に形成した螺条部をもって気密に螺合一体化させて取り付けられている。
【００２５】
さらに上記した集熱板取り付け金具９は、外周部にかけて次第に拡開させた集熱板保持部１１を有し、この集熱板保持部１１に比較的低温度にて溶解するハンダ１３を介して周辺部に集熱フランジ１４ａを有した集熱板１４の背面が接着保持されている。
【００２６】
なお、１５は消火薬剤封止ピンをあらわし、管胴部２内の消火薬剤１７が集熱板１４に直接触れないようにして集熱板保持部１１との接着手段であるハンダ１３の腐食による誤作動を無くすとともに、火災発生時における集熱板１４の温度が消火薬剤１７に直接触れて吸収されることによる火災感知の遅延を無くすことを目的とするものでああって、消火薬剤放出ノズル７の消火薬剤噴射通路８内であって集熱板１４との間に、周囲にＯリング１６を介在させて遊嵌させたものである。
【００２７】
さらに電気信号発生器２０は、蓋３の中央開口部４にＯリング３ａを介して気密に取り付けられている。  具体的にはスイッチホルダー２１ａに保持させた電気信号発生スイッチ２１と該電気信号発生スイッチ２１を起動させる圧力感知部２２とから構成され、しかも少なくとも圧力感知部２２が前記消火器本体１の管胴部２の内部に気密に突出されている。
【００２８】
さらに圧力感知部２２はコイル状のバネ２３により常時管胴部２の反対側方向に向けて付勢されており、管胴部２内の消火薬剤１７およびそのガス圧力が十分に満たされている場合においては該圧力が前記コイル状のバネ２３の付勢力に勝って図２において左方向に押圧されて電気信号発生スイッチ２１をＯＦＦにするとともに、消火活動が開始されて管胴部２内の消火薬剤１７が消火薬剤放出ノズル７から放出され、管胴部２内が負圧になると前記した圧力感知部２２の作動ピン２２ａがコイル状のバネ２３の作用によって管胴部２の反対側（ヘッドＨ側）方向に向けて突出して電気信号発生スイッチ２１をＯＮにする。
【００２９】
さらに上記電気信号発生スイッチ２１がＯＮにされた場合に、これをリード線２６を介してたとえばレンジに供給する燃料ガスの遮断器や、あるいは火災発生警報器、さらには管胴部２内の消火薬剤充填サインランプ等の作動や点灯信号として利用し、あるいは火災発生情報として携帯電話に自動連絡させる等の電気的信号として用いることができる。
【００３０】
なお図において１８は、口蓋５の中央部に有するバルブ取り付け穴６に取り付けたガス充填用のバルブを示し、口蓋５を取り外して管胴部２内に消火薬剤１７を必要量充填した後、上記ガス充填用のバルブ１８より窒素等の加圧圧し出し用のガスを充填蓄圧させる。  なおこの場合に管胴部２内に小型のガスボンベを装入するとともに、その開口部に施した封板部を前記集熱板１４の中央部に臨ませておくことにより、火災炎熱により破封してガスを噴出させ、これによって管胴２内の消火薬剤１７を消火薬剤放出ノズル７から放射するようにしてもよい。
【００３１】
また図中において１９は管胴部２内のガス圧を表示するための圧力ゲージ、２４・２５は円筒状のカラーをあらわしている。  この円筒状のカラー２４・２５は取り付けるべきレンジフードの幅内径が一律ではないために、その幅内径に合致させるべく、消火器本体１の左右少なくとも一方の端部に、長さの異なる円筒状のカラー２４．２５を選択的に取り付け使用できるようにしたものである。
【００３２】
なお、この場合にレンジフードの幅内径が一律ではない場合において、消火器本体の長さ方向両端部における少なくとも一方には、消火器本体の長さ方向に伸縮調整自在のアジャスター装置（図示省略）を取り付けるようにしてもよい。  さらに本発明においては、レンジフード内にコンパクトで纏まりよく消火器を取り付けるためには、消火器本体１に取り付けた電気信号発生器２０、口蓋５による消火薬剤充填口、およびガス充填口バルブ１８は、消火器本体管胴部２の長さ方向における中心軸線Ｘ上に位置して取り付けるようにするのが好ましい。
【００３３】
上記した構成において、これをレンジフード内の左右の壁面Ｆ・Ｆに取り付ける場合には、あらかじめ壁面Ｆ・Ｆに取り付けてある略Ｌ字状をした取り付け金具Ｐ・Ｐにより図１にあらわしたように簡単に取り付けることができる。  また両端部にアジャスター装置（図示省略）を取り付けてある場合においては、レンジフード内の左右両壁面Ｆ・Ｆに対して圧迫保持させることにより取り付けることができる。
【産業上の利用可能性】
【００３４】
本発明は、主に一般住宅用のレンジフード内取付用消火器として開発したが、船舶や航空機内における厨房のレンジフード内取り付け用消火器としても適用が可能である。
【図面の簡単な説明】
【００３５】
【図１】本発明の一実施例であるレンジフード内取付用消火器の概略取り付け状態をあらわしたところの一部を断面表示した側面図。
【図２】図１にあらわしたレンジフード内取り付け用消火器の管胴部の一部を省略してあらわした拡大縦断面図。
【図３】本発明における消火薬剤放出ノズルの部分拡大縦断面図。
【符号の説明】
【００３６】
１      消火器本体
２      管胴部
３      蓋
３ａ    溶接
４      取り付け穴
５      口蓋
５ａ    螺条部
６      バルブ取り付け穴
７      消火薬剤放出ノズル
８      消火薬剤噴射通路
９      集熱板取り付け金具
１０    羅条部
１１    集熱板保持部
１２    Ｏリング
１３    ハンダ
１４    集熱板
１５    消火薬剤封止ピン
１６    Ｏリング
１７    消火薬剤
１８    ガス充填用のバルブ
１９    圧力ゲージ
２０    電気信号発生器
２１    電気信号発生スイッチ
２１ａ  スイッチホルダー
２２    圧力感知部
２２ａ  作動ピン
２３    コイル状のバネ
２４    円筒状のカラー
２５    円筒状のカラー
２６    リード線
Ｈ      ヘッド
Ｈａ    溶接
Ｐ      取り付け金具
【図１】
2005118109.tif 000003
【図２】
2005118109.tif 000004
【図３】
2005118109.tif 000005